(57)【要約】      （修正有）【課題】店内に陳列された状態、すなわち購入されるまでは、蓋部材を外せないか、または蓋部材が外されたことを判別できる構成の改竄防止構造を有する、菓子類を収容するための包装容器を提供する。【解決手段】包装容器内に内容物が充填された状態において、環状口部材から蓋部材３を外すと剥がれるように、蓋部材３と容器本体２との境界部分１３を跨ぐように、封印シール１１が貼られている。封印シール１１には、特殊な接着層１４が備えられ、一旦剥がされると剥がされたことが表示される。【選択図】図２
0003155736.tif 000002
【実用新案登録請求の範囲】
【請求項１】
上縁に開口を有する容器本体と、
容器本体の前記上縁に固着された環状口部材と、
前記環状口部材に対して嵌合され、嵌合状態において前記容器本体の前記開口を開閉可能に密閉する蓋部材とを有する包装容器であって、
前記包装容器内に内容物が充填された状態において、前記環状口部材から蓋部材を外すと剥がれるように、前記蓋部材と容器本体との境界部分を跨ぐように貼られた封印シールを有することを特徴とする包装容器。
【請求項２】
前記封印シールは、一旦剥がすと、その痕跡が残るシールであることを特徴とする、請求項１記載の包装容器。
【請求項３】
上縁に開口を有する容器本体と、
容器本体の前記上縁に固着された環状口部材と、
前記環状口部材に対して嵌合され、嵌合状態において前記容器本体の前記開口を開閉可能に密閉する蓋部材とを有する包装容器であって、
前記包装容器内に内容物が充填された状態において、前記環状口部材から蓋部材を外すと色素が流れ出る色素カプセルが設けられていることを特徴とする包装容器。
【請求項４】
上縁に開口を有する容器本体と、
容器本体の前記上縁に固着された環状口部材と、
前記環状口部材に対して嵌合され、嵌合状態において前記容器本体の前記開口を開閉可能に密閉する蓋部材とを有する包装容器であって、
前記包装容器内に内容物が充填された状態において、前記環状口部材から蓋部材を外すか、または、外した蓋部材を再度嵌合させようとしたときに、前記容器本体または蓋部材の一部に設けられた破損構造部を有することを特徴とする包装容器。
【考案の詳細な説明】
【技術分野】
【０００１】
この考案は、ガム、チョコレート、飴等の主に菓子類を収容するための包装容器に関する。
【背景技術】
【０００２】
粒状のガムを収容する包装容器として、紙製の容器本体に樹脂製の環状口部材を溶着し、その樹脂製の環状口部材に樹脂製の蓋部材が嵌合された構造のものが知られている。（たとえば特許文献１参照）
このような容器本体が紙で作られ、蓋部材が樹脂で作られた包装容器（以下、複合容器という）は、蓋部材が容器本体、より具体的には環状口部材に対して強固に嵌合されているため、通常の扱いでは、容器本体から蓋部材を外すことは困難である。
【先行技術文献】
【特許文献】
【０００３】
【特許文献１】特開２００８−３０８２２８号公報
【考案の概要】
【考案が解決しようとする課題】
【０００４】
従来の複合容器は、内部に内容物が充填された状態において、容器本体（環状口部材）と蓋部材との嵌合部に取り外し防止のための構成は設けられてはおらず、蓋部材が容器本体から外されることはないとして取り扱われている。
ところが、環状口部材に嵌合された蓋部材を無理矢理外そうとした場合は、外せないわけではない。このため、内容物が充填されて店内に陳列された販売商品としての複合容器に対し、悪意を持った者が蓋部材を無理に外そうとした場合は、蓋部材を外すことが可能である。そして、外された蓋部材を環状口部材に再嵌合させると、蓋部材が外れた形跡は残らず、未開封の正常な商品と区別できないという課題があった。
【０００５】
この考案は、このような背景のもとになされたものであり、包装容器、特に材質が紙および樹脂で構成された複合容器において、その容器が店内に陳列された状態、すなわち購入されるまでは、蓋部材を外せないか、または蓋部材が外されたことを判別できる構成とした、改竄防止構造を有する包装容器を提供することを主たる目的とする。
【課題を解決するための手段】
【０００６】
請求項１記載の考案は、上縁に開口を有する容器本体と、容器本体の前記上縁に固着された環状口部材と、前記環状口部材に対して嵌合され、嵌合状態において前記容器本体の前記開口を開閉可能に密閉する蓋部材とを有する包装容器であって、前記包装容器内に内容物が充填された状態において、前記環状口部材から蓋部材を外すと剥がれるように、前記蓋部材と容器本体との境界部分を跨ぐように貼られた封印シールを有することを特徴とする包装容器である。
【０００７】
請求項２記載の考案は、前記封印シールは、一旦剥がすと、その痕跡が残るシールであることを特徴とする、請求項１記載の包装容器である。
請求項３記載の考案は、上縁に開口を有する容器本体と、容器本体の前記上縁に固着された環状口部材と、前記環状口部材に対して嵌合され、嵌合状態において前記容器本体の前記開口を開閉可能に密閉する蓋部材とを有する包装容器であって、前記包装容器内に内容物が充填された状態において、前記環状口部材から蓋部材を外すと色素が流れ出る色素カプセルが設けられていることを特徴とする包装容器である。
【０００８】
請求項４記載の考案は、上縁に開口を有する容器本体と、容器本体の前記上縁に固着された環状口部材と、前記環状口部材に対して嵌合され、嵌合状態において前記容器本体の前記開口を開閉可能に密閉する蓋部材とを有する包装容器であって、前記包装容器内に内容物が充填された状態において、前記環状口部材から蓋部材を外すか、または、外した蓋部材を再度嵌合させようとしたときに、前記容器本体または蓋部材の一部に設けられた破損構造部を有することを特徴とする包装容器である。
【考案の効果】
【０００９】
この考案によれば、包装容器の蓋部材は通常の取り扱いでは取り外せない構造とされている。そして蓋部材を無理に外すと、外したことが確実に判別できる構造となっている。
よって、包装容器の改竄を予防し、また、蓋部材が無理に外されたときには、その痕跡が残り、蓋部材が開けられたことを確実に判別することができる。
【図面の簡単な説明】
【００１０】
【図１】この考案の一実施例に係る包装容器１の正面図である。
【図２】封印シール１１の構成を説明するための図であり、図１における封印シール１１の部分を左側面から見た図解的な部分拡大縦断面図である。
【図３】この考案の他の実施例に係る改竄防止構造を説明するための図解的な部分拡大図である。
【考案を実施するための形態】
【００１１】
以下には、図面を参照して、この考案のいくつかの実施例について具体的に説明をする。
【実施例】
【００１２】
図１は、この考案の一実施例に係る包装容器1の正面図である。
包装容器１は、紙製の容器本体２と、紙製容器本体２の上部に嵌合された蓋部材３とを有している。
紙製の容器本体２は、平面視円形をした筒状の胴部２０および平面視円形の底（図示せず）を有し、上端に開口を有する円筒形状をしている。
【００１３】
蓋部材３は、平面視略円形で、容器本体２の上端部に外嵌合する嵌合環部８と、嵌合環部８に対して開閉可能に設けられた蓋本体６と、嵌合環部８と蓋本体６との間に備えられたティアバンド５およびティアバンド５を引き剥がす際につまむつまみ４とを有している。なお、７は、蓋本体６を開閉する際に指で操作する開閉つまみである。
この実施例の特徴は、容器本体２と蓋部材３との境界部分を跨ぐように貼られた封印シール１１が設けられていることである。
【００１４】
なお、図１では、包装容器１の正面側に現れた封印シール１１のみが示されているが、封印シール１１は、好ましくは、包装容器１の外周方向に見て、１８０°隔たる位置、すなわち包装容器１の背面側で、容器本体２と蓋部材３との境界部分を跨ぐ位置にも貼られているのが好ましい。
図２は、封印シール１１の構成を説明するための図であり、図１における封印シール１１の部分を左側面側から見た図解的な部分拡大縦断面図である。
【００１５】
図２を参照して、封印シール１１は、蓋部材６の嵌合環部８の外表面と、容器本体２の筒状の胴部２０の外表面との境界部分を跨いで、両方に貼り付けられている。すなわち、嵌合環部８の下端縁１２と胴部２０との境界部分１３を上下方向に跨ぐように貼り付けられている。封印シール１１の上部１１ａは、嵌合環部８の外表面に接着層１４を介して貼り付けられている。また、封印シール１１の下部１１ｂは、接着層１４を介して胴部２０の外表面に貼り付けられている。さらに、嵌合環部８と胴部２０との境界部分１３には段差１５が生じている。なぜなら、嵌合環部８の外径は、胴部２０の外径に比べてやや大きいので、その外径の相違により境界部分１３には段差１５が生じている。
【００１６】
この実施例では、この段差１５に色素カプセル１６が収められている。色素カプセル１６は、嵌合環部８の下端縁１２および胴部２０の上端外周面の両方に接着剤で固定されている。そしてその上から封印シール１１が貼られた構成となっている。
色素カプセル１６は、薄い外皮内に色素液が封入されたマイクロカプセルであり、外皮が破れると、封入された色素液が流れ出て、周囲を色素液で着色するものである。
【００１７】
この実施例では、さらに、接着層１４は、封印シール１１を一旦剥がすとたとえば「開封済み」の文字が浮き上がるなどの特殊加工が施された接着層となっている。
図２のような構成の封印シール１１および色素カプセル１６が採用されているので、この実施例では、蓋部材３を容器本体２から無理に外すと、封印シール１１の上部１１ａおよび／または下部１１ｂが嵌合環部８の表面および／または胴部２０の表面から剥がれ、剥がれたことが特殊な接着層１４により明らかにされる。
【００１８】
さらに、上記封印シール１１による蓋部材３の取り外しの表示に加え、蓋部材３が取り外されると、嵌合環部８および胴部２０に接着された色素カプセルの外皮が破れる。このため色素カプセル１６から色素液が流れ出て、容器本体２の胴部２０の表面等が色素で着色される（色素で汚れる）。よって、蓋部材３の取り外しが視認可能となる。
図３は、他の実施例に係る改竄防止構造を説明するための図解的な部分拡大図である。容器本体２の胴部２０の上端縁には、その内周面側に環状口部材１０の下方部が溶着されている。そして環状口部材１０の外周面側に外嵌合するように嵌合環部８が嵌められている。このため、嵌合環部８の下端部２１と胴部２０との間には僅かの空隙２２が存在している。そこでこの空隙２２内に、嵌合環部８の下端部２１から内側上方に突出した封止ひげ２３を設け、この封止ひげ２３を胴部２０の上面外周に接着させる構成とする。
【００１９】
かかる構成とすれば、嵌合環部８、すなわち蓋部材３が環状口部材１０から無理に外されると、封止ひげ２３と胴部２０との接合が破れ、胴部２０の表面が破損する。あるいは、一旦外した蓋部材（嵌合環部８）を環状口部材１０に嵌めようとしても、封止ひげ２３が嵌合環部８の下端縁から下方へ突出した状態となり、蓋部材３が取り外されたことを判別できる。
【００２０】
また、図３において、封止ひげ２３に代えて、空隙２２内に、先に述べた色素カプセル１６を、外からは見えない状態で収容した構成としてもよい。
この考案は、以上説明した各実施例に限られるものではなく、請求項記載の範囲内において種々の変更が可能である。
【符号の説明】
【００２１】
１    包装容器
２    容器本体
３    蓋部材
４    つまみ
５    ティアバンド
６    蓋本体
７    開閉つまみ
８    嵌合環部
１０    環状口部材
１１    封印シール
１１ａ    封印シールの上部
１１ｂ    封印シールの下部
１２    嵌合環部の下端縁
１３    境界部分
１４    接着層
１５    段差
１６    色素カプセル
２０    胴部
２１    嵌合環部の下端部
２２    空隙
２３    封止ひげ
【図１】
0003155736.tif 000003
【図２】
0003155736.tif 000004
【図３】
0003155736.tif 000005
【手続補正書】
【提出日】平成21年7月28日(2009.7.28)
【手続補正１】
【補正対象書類名】明細書
【補正対象項目名】０００８
【補正方法】変更
【補正の内容】
【０００８】
請求項４記載の考案は、上縁に開口を有する容器本体と、容器本体の前記上縁に固着された環状口部材と、前記環状口部材に対して嵌合され、嵌合状態において前記容器本体の前記開口を開閉可能に密閉する蓋部材とを有する包装容器であって、前記包装容器内に内容物が充填された状態において、前記環状口部材から蓋部材を外すときに、前記容器本体または蓋部材の一部に設けられた破損構造部を有することを特徴とする包装容器である。
【手続補正２】
【補正対象書類名】実用新案登録請求の範囲
【補正対象項目名】全文
【補正方法】変更
【補正の内容】
【実用新案登録請求の範囲】
【請求項１】
上縁に開口を有する容器本体と、
容器本体の前記上縁に固着された環状口部材と、
前記環状口部材に対して嵌合され、嵌合状態において前記容器本体の前記開口を開閉可能に密閉する蓋部材とを有する包装容器であって、
前記包装容器内に内容物が充填された状態において、前記環状口部材から蓋部材を外すと剥がれるように、前記蓋部材と容器本体との境界部分を跨ぐように貼られた封印シールを有することを特徴とする包装容器。
【請求項２】
前記封印シールは、一旦剥がすと、その痕跡が残るシールであることを特徴とする、請求項１記載の包装容器。
【請求項３】
上縁に開口を有する容器本体と、
容器本体の前記上縁に固着された環状口部材と、
前記環状口部材に対して嵌合され、嵌合状態において前記容器本体の前記開口を開閉可能に密閉する蓋部材とを有する包装容器であって、
前記包装容器内に内容物が充填された状態において、前記環状口部材から蓋部材を外すと色素が流れ出る色素カプセルが設けられていることを特徴とする包装容器。
【請求項４】
上縁に開口を有する容器本体と、
容器本体の前記上縁に固着された環状口部材と、
前記環状口部材に対して嵌合され、嵌合状態において前記容器本体の前記開口を開閉可能に密閉する蓋部材とを有する包装容器であって、
前記包装容器内に内容物が充填された状態において、前記環状口部材から蓋部材を外すときに、前記容器本体または蓋部材の一部に設けられた破損構造部を有することを特徴とする包装容器。
【手続補正書】
【提出日】平成21年9月24日(2009.9.24)
【手続補正１】
【補正対象書類名】明細書
【補正対象項目名】０００８
【補正方法】変更
【補正の内容】
【０００８】
請求項４記載の考案は、上縁に開口を有する容器本体と、容器本体の前記上縁に固着された環状口部材と、前記環状口部材に対して嵌合され、嵌合状態において前記容器本体の前記開口を開閉可能に密閉する蓋部材とを有する包装容器であって、前記包装容器内に内容物が充填された状態において、前記環状口部材から蓋部材を外すと破損する前記容器本体または蓋部材の一部に設けられた破損構造部を有することを特徴とする包装容器である。
【手続補正２】
【補正対象書類名】実用新案登録請求の範囲
【補正対象項目名】全文
【補正方法】変更
【補正の内容】
【実用新案登録請求の範囲】
【請求項１】
上縁に開口を有する容器本体と、
容器本体の前記上縁に固着された環状口部材と、
前記環状口部材に対して嵌合され、嵌合状態において前記容器本体の前記開口を開閉可能に密閉する蓋部材とを有する包装容器であって、
前記包装容器内に内容物が充填された状態において、前記環状口部材から蓋部材を外すと剥がれるように、前記蓋部材と容器本体との境界部分を跨ぐように貼られた封印シールを有することを特徴とする包装容器。
【請求項２】
前記封印シールは、一旦剥がすと、その痕跡が残るシールであることを特徴とする、請求項１記載の包装容器。
【請求項３】
上縁に開口を有する容器本体と、
容器本体の前記上縁に固着された環状口部材と、
前記環状口部材に対して嵌合され、嵌合状態において前記容器本体の前記開口を開閉可能に密閉する蓋部材とを有する包装容器であって、
前記包装容器内に内容物が充填された状態において、前記環状口部材から蓋部材を外すと色素が流れ出る色素カプセルが設けられていることを特徴とする包装容器。
【請求項４】
上縁に開口を有する容器本体と、
容器本体の前記上縁に固着された環状口部材と、
前記環状口部材に対して嵌合され、嵌合状態において前記容器本体の前記開口を開閉可能に密閉する蓋部材とを有する包装容器であって、
前記包装容器内に内容物が充填された状態において、前記環状口部材から蓋部材を外すと破損する前記容器本体または蓋部材の一部に設けられた破損構造部を有することを特徴とする包装容器。